(57)【要約】      （修正有）【課題】衝撃によるＨＤＤ等のディスク装置のデータ破損の問題を解決し、信頼性を向上したディスク装置の取り付け構造を提供する。【解決手段】電子装置の筐体のディスク装置収納部を覆う蓋部材２とディスク装置１との間に、振動及び／又は衝撃を吸収する振動及び／又は衝撃吸収材３，４，５を設ける。【選択図】図１
2008171554.tif 000002
【特許請求の範囲】
【請求項１】
ディスク装置を搭載した電子装置において、
前記電子装置の筐体に設けられたディスク装置収納部を覆う蓋部材と、前記ディスク装置との間に、振動及び／又は衝撃を吸収する振動及び／又は衝撃吸収材を設けたことを特徴とする電子装置。
【請求項２】
上記蓋部材とディスク装置との間に設ける振動及び／又は衝撃吸収材を、複数の小片で構成することを特徴とする請求項１記載の電子装置。
【請求項３】
上記複数の小片にした振動及び／又は衝撃吸収材と、ディスク装置の間に、シート材を設けたことを特徴とする請求項２記載の電子装置。
【請求項４】
ディスク装置を搭載した電子装置において、
前記電子装置の筐体に設けられたディスク装置収納部を覆う蓋部材と、前記ディスク装置との間に、振動及び／又は衝撃を吸収する複数の小片からなる振動及び／又は衝撃吸収材と、
前記複数の小片からなる振動及び／又は衝撃吸収材とディスク装置の間に設けられたシート材を設けたことを特徴とする電子装置。
【請求項５】
ディスク装置を搭載した電子装置において、
前記電子装置の筐体に設けられたディスク装置収納部の下底面及び内側面とディスク装置との間に振動及び／又は衝撃吸収材を設けると共に、
前記下底面とディスク装置との間に設ける振動及び／又は衝撃吸収材と前記内側面とディスク装置との間に設ける振動及び／又は衝撃吸収材を、互いに異なった材質で構成することを特徴とする電子装置。
【請求項６】
ディスク装置を搭載した電子装置において、
前記電子装置の筐体に設けられたディスク装置収納部の下底面及び内側面とディスク装置との間に振動及び／又は衝撃吸収材を設けると共に、
前記下底面とディスク装置との間に設ける振動及び／又は衝撃吸収材と前記内側面とディスク装置との間に設ける振動及び／又は衝撃吸収材を、互いに異なった振動及び／又は衝撃吸収特性の振動及び／又は衝撃吸収材で構成することを特徴とする電子装置。
【請求項７】
前記内側面に設けられる振動及び／又は衝撃吸収材は、下底面に設けられた振動及び／又は衝撃吸収材より防振性が高いものであることを特徴とする請求項５又は６記載の電子装置。
【請求項８】
前記内側面に設けられる振動及び／又は衝撃吸収材は、下底面に設けられた振動及び／又は衝撃吸収材より硬質であることを特徴とする請求項５又は６記載の電子装置。
【請求項９】
上記筐体に設けられたディスク装置収納部の内側面とディスク装置との間に設ける振動及び／又は衝撃吸収材を、複数の小片で構成することを特徴とする請求項５乃至８のいずれか１項に記載の電子装置。
【請求項１０】
ディスク装置を搭載した電子装置において、
前記電子装置の筐体に設けられたディスク装置収納部とディスク装置の対向する面の少なくとも一面に対し、厚みが異なる複数の振動及び／又は衝撃吸収材を設けたことを特徴とする電子装置。
【請求項１１】
前記複数の振動及び／又は衝撃吸収材は材質が同じであることを特徴とする請求項１０記載の電子装置。
【請求項１２】
ディスク装置を搭載した電子装置において、
前記電子装置の筐体に設けられたディスク装置収納部とディスク装置の対向する面の少なくとも一面に対し、振動及び／又は衝撃吸収特性が異なる複数の振動及び／又は衝撃吸収材を設けたことを特徴とする電子装置。
【請求項１３】
異なる硬度の振動及び／又は衝撃吸収材を設けたことを特徴とする請求項１０又は１２記載の電子装置。
【請求項１４】
上記振動及び／又は衝撃吸収材を、上記筐体に設けられたディスク装置収納部の上底面とディスク装置との間にも設けたことを特徴とする請求項１乃至１３のいずれか１項に記載の電子装置。
【請求項１５】
上記振動及び／又は衝撃吸収材を、上記ディスク装置と対向する部材側に貼り付けたことを特徴とする請求項１乃至１４のいずれか１項に記載の電子装置。
【請求項１６】
上記ディスク装置を搭載した電子装置が、携帯型電子装置であることを特徴とする請求項１乃至１５のいずれか１項に記載の電子装置。
【請求項１７】
前記ディスク装置はハードディスク装置であることを特徴とする請求項１乃至１６のいずれか１項に記載の電子装置。
【請求項１８】
ディスク装置を搭載可能な搭載機構において、
ディスク装置収納部と、
前記収納部を覆う蓋部材と、
前記蓋部材と搭載されるディスク装置との間に配置される、振動及び／又は衝撃を吸収する振動及び／又は衝撃吸収材を有することを特徴とする搭載機構。
【請求項１９】
ディスク装置を搭載可能な搭載機構において、
ディスク装置収納部と、
前記収納部を覆う蓋部材と、
前記蓋部材と搭載されるディスク装置との間に配置される、振動及び／又は衝撃を吸収する複数の小片からなる振動及び／又は衝撃吸収材と、
前記複数の小片からなる振動及び／又は衝撃吸収材と搭載されるディスク装置の間に配置されるシート材を有することを特徴とする搭載機構。
【請求項２０】
ディスク装置を搭載可能な搭載機構において、
ディスク装置収納部と、
前記収納部の下底面及び内側面と搭載されるディスク装置との間に配置される振動及び／又は衝撃吸収材とを設けると共に、
前記下底面と搭載されるディスク装置との間に配置される振動及び／又は衝撃吸収材と前記内側面と搭載されるディスク装置との間に配置される振動及び／又は衝撃吸収材を、互いに異なった材質で構成することを特徴とする搭載機構。
【請求項２１】
ディスク装置を搭載可能な搭載機構において、
ディスク装置収納部と、
前記収納部の下底面及び内側面と搭載されるディスク装置との間に配置される振動及び／又は衝撃吸収材とを設けると共に、
前記下底面と搭載されるディスク装置との間に配置される振動及び／又は衝撃吸収材と前記内側面と搭載されるディスク装置との間に配置される振動及び／又は衝撃吸収材を、互いに異なった振動及び／又は衝撃吸収特性の振動及び／又は衝撃吸収材で構成することを特徴とする搭載機構。
【請求項２２】
ディスク装置を搭載可能な搭載機構において、
ディスク装置収納部と、
前記収納部と搭載されるディスク装置の対向する面の少なくとも一面に対し、厚みが異なる複数の振動及び／又は衝撃吸収材を設けたことを特徴とする搭載機構。
【請求項２３】
ディスク装置を搭載可能な搭載機構において、
ディスク装置収納部と、
前記収納部と搭載されるディスク装置の対向する面の少なくとも一面に対し、振動及び／又は衝撃吸収特性が異なる複数の振動及び／又は衝撃吸収材を設けたことを特徴とする搭載機構。
【発明の詳細な説明】
【技術分野】
【０００１】
本発明は電子装置及び搭載機構に関するものであり、特に、ノートブック型パーソナルコンピュータ等の携帯用電子装置におけるディスク装置（特にハードディスク装置、ＨＤＤ：Ｈａｒｄ  Ｄｉｓｋ  Ｄｒｉｖｅ）の耐衝撃取付け構造に特徴のある電子装置及び搭載機構に関するものである。
【０００２】
ここで、ディスク装置とは、円盤状記録媒体に、情報を記録及び／又は再生する装置であり、磁気ディスク装置、光ディスク装置、光磁気ディスク装置、ハードディスク装置（ＨＤＤ）、フロッピー（登録商標）ディスク装置（ＦＤＤ）、ＣＤ−ＲＯＭドライブ装置等を言う。
【背景技術】
【０００３】
近年、ノートブック型パーソナルコンピュータの高性能化に伴い、ノートブック型パーソナルコンピュータにもフロッピー（登録商標）ディスク装置に比べ、記憶容量が大きく、且つ、高速なハードディスク装置が搭載されるようになってきている。
【０００４】
ここで、図１０を参照して従来のノートブック型パーソナルコンピュータにおけるハードディスク装置の取付け構造を説明する。
【０００５】
図１０参照
図１０は、ハードディスク装置を搭載したノートブック型パーソナルコンピュータ５０の分解斜視図であり、図１０においては、ノートブック型パーソナルコンピュータ５０の筐体５１の右側前面の裏側に設けたＨＤＤ（ハードディスク装置）収納部にＨＤＤ５２が取り付けられる。
【０００６】
この場合、ディスク状記憶メディア、ヘッド、及び、モータ等を収納したＨＤＤ５２は、ＨＤＤ５２のプリント基板側がＨＤＤカバー５７側になるようにして、ネジ５４によってＨＤＤ取付け金具５３に固定され、このＨＤＤ取付け金具５３はネジ５５によって筐体５１に固定される。
【０００７】
また、筐体５１に取り付けたＦＰＣ（Ｆｌｅｘｉｂｌｅ  Ｐｒｉｎｔｅｄ  Ｃｉｒｃｕｉｔ）ケーブル５６をＨＤＤ５２のプリント基板と電気的に接続するように配置したのち、ＨＤＤカバー５７をスライドして筐体５１のＨＤＤ収納部を覆ったのち、ネジ５８で筐体５１に固定する構造になっており、衝撃吸収材等は使用されていない状況である。
【０００８】
但し、ラップトップ型コンピュータ等に搭載する磁気ディスク装置の場合には、磁気ディスク装置の側面と筐体との間に、複数個の防振ゴムを設けて磁気ヘッドの振動による位置決め誤差の発生を防止することが提案されており（必要ならば、特開平３−２４１５８３号公報参照）、特に、ダンピング特性の温度依存性の異なる複数の防振ゴムを組み合わせて用いることによって、広範囲の温度変化に対応させることが記載されており、また、防振ゴムとしてエーテル系ポリウレタンからなるソルボセイン（Ｓｏｒｂｏｔｈａｎｅ：商標名）を用いることも記載されている。
【０００９】
また、大型電子計算機に用いる固定磁気ディスク装置の場合に、オペレータによる持ち運びを可能にするために、磁気ディスク装置本体の上下底面及び側面との間に複数の緩衝ゴム等の緩衝材を挟んで外装箱体に収納することによって、振動衝撃に対する制約条件を大幅に緩和するという漠然としたアイディアも提案されている（必要ならば、特許文献１参照）。
【特許文献１】実開昭５９−１３５５０４号公報
【発明の開示】
【発明が解決しようとする課題】
【００１０】
しかし、上記の様なＨＤＤ搭載ノートブック型パーソナルコンピュータにおいて、ＨＤＤの記録密度の大容量化に伴って、ＨＤＤ自体も高精細化・軽量化してきており、軽量化に伴い携帯使用の頻度が飛躍的に増加すると共に、高精細化に伴って機械的強度が低下しており、携帯時或いは動作時の衝撃による障害発生が問題となっている。
【００１１】
例えば、従来のＨＤＤはノートブック型パーソナルコンピュータの筐体にネジによって固定しているため、携帯時或いは動作時に衝撃が加わるとディスク状記憶メディアに磁気ヘッドが接触し、ディスク状記憶メディアにキズを着け、このキズが原因となってデータの破損障害が発生する。
【００１２】
一方、ＨＤＤ装置をフローティング構造にすると、動作時において、磁気ヘッドが記録領域を探査する探査動作（Ｓｅｅｋ）の際に、ディスク状記憶メディアの回転に伴う残留振動によりヘッドの位置を正確に設定することができなくなるため、読み取りエラーが発生するという問題がある。
【００１３】
また、上述のラップトップ型コンピュータ等の場合には、防振性を持たせるために磁気ディスク装置の側面に防振ゴムを設けているが、耐衝撃性、特に、コンピュータを持ち運ぶ際の耐衝撃性については特段の考慮が払われておらず、問題の解決にはならないものである。
【００１４】
さらに、上述の可搬型固定磁気ディスク装置の場合には、一般ユーザの使用を前提としておらず、且つ、ノートブック型パーソナルコンピュータに搭載するＨＤＤ装置に比べてかなり大型であり、狭スペース化或いは軽量化の問題が発生しないため各種の対策が可能であるが、一般ユーザが使用し、且つ、狭スペース化或いは軽量化の制約のあるノートブック型パーソナルコンピュータに対する具体的対策を示唆するものではない。
【００１５】
したがって、本発明は、衝撃によるディスク装置のデータ破損、特にＨＤＤのデータ破損の問題を解決し、信頼性を向上したディスク装置（特に、ＨＤＤ）の取付け構造を提供することを目的とする。
【課題を解決するための手段】
【００１６】
図１は本発明の原理的構成の説明図であり、この図１を参照して本発明における課題を解決するための手段を説明する。
【００１７】
なお、図１はＨＤＤ（ハードディスク装置）の取付け構造を示す概略的な分解斜視図であり、筐体は図示を省略している。以下、ＨＤＤを例として説明するが、本発明はＨＤＤに限られるものではなく、各種ディスク装置、例えば、フロッピー（登録商標）ディスク装置等にも適用可能である。
【００１８】
図１参照
（１）本発明は、ディスク装置１を搭載した電子装置において、電子装置の筐体に設けられたディスク装置収納部を覆う蓋部材２とディスク装置１との間に、振動及び衝撃を吸収する振動及び／又は衝撃吸収材３を設けたことを特徴とする。
【００１９】
この様に、筐体に設けられたディスク装置収納部を覆う蓋部材２とディスク装置１との間に、振動及び／又は衝撃吸収材３を設けることにより、電子装置の耐衝撃性を高めることができ、それによって電子装置を落下した際に、或いは、机に置いた際に、衝撃によりディスク装置１（特にＨＤＤ）にデータ破損が発生することを防止することができる。
【００２０】
（２）また、本発明は、上記（１）において、蓋部材２とディスク装置１との間に設ける振動及び／又は衝撃吸収材３を、複数の小片で構成することを特徴とする。
【００２１】
この様な振動及び／又は衝撃吸収材３は、全面に１個の大きな振動及び／又は衝撃吸収材を設けて良いものであるが、振動及び／又は衝撃吸収材３を複数の小片で構成することによって、耐振動性及び耐衝撃性を高めることができる。
【００２２】
（３）また、本発明は、上記（２）において、複数の小片にした振動及び／又は衝撃吸収材３と、ディスク装置１の間に、シート材６を設けたことを特徴とする。
【００２３】
一般に、振動及び／又は衝撃吸収材３は多孔質で摩擦係数が大きいので、蓋部材２をスライドさせて装着した場合、摩擦により横方向に変形して振動及び／又は衝撃吸収効果が減少するので、振動及び／又は衝撃吸収材３をシート材６に取り付けることによって変形をなくすことができる。
【００２４】
また、振動及び／又は衝撃吸収材３は、結露した場合、乾きにくいため、蓋部材２との間に設けた振動及び／又は衝撃吸収材３はディスク装置１のプリント基板と湿った状態で接触して電気的短絡の原因となるが、シート材６を介在させることによって、結露した場合にも、電気的短絡を防止することができる。
【００２５】
（４）また、本発明は、ディスク装置１を搭載した電子装置において、電子装置の筐体に設けられたディスク装置収納部を覆う蓋部材２と、ディスク装置１との間に、振動及び／又は衝撃を吸収する複数の小片からなる振動及び／又は衝撃吸収材３と、複数の小片からなる振動及び／又は衝撃吸収材３とディスク装置１の間に設けられたシート材６を設けたことを特徴とする。
【００２６】
上記（３）で述べたように、振動及び／又は衝撃吸収材３をシート材６に取り付けることによって変形をなくすことができるので、電子装置の耐衝撃性を向上でき、且つ、結露によるプリント基板の電気的短絡を防止できる。
【００２７】
（５）また、本発明は、ディスク装置１を搭載した電子装置において、電子装置の筐体に設けられたディスク装置収納部の下底面及び内側面とディスク装置１との間に振動及び／又は衝撃吸収材３，４を設けると共に、下底面とディスク装置１との間に設ける振動及び／又は衝撃吸収材３と内側面とディスク装置１との間に設ける振動及び／又は衝撃吸収材４を互いに異なった材質で構成することを特徴とする。
【００２８】
この様に、振動及び／又は衝撃吸収材４を筐体に設けられたディスク装置収納部の内側面とディスク装置１との間にも設けることによって、ディスク装置１の防振性を高めることができ、それによって、読み取りエラーの発生を防止することができる。
【００２９】
また、この場合、筐体に設けられたディスク装置収納部の内側面とディスク装置１との間に設ける振動及び／又は衝撃吸収材４は、耐振動性の方がより要求され、一方、下底面とディスク装置１との間に設ける振動及び／又は衝撃吸収材３は、耐衝撃性がより要求されるので、互いに異なった材質で構成することが望ましい。
【００３０】
（６）また、本発明は、ディスク装置１を搭載した電子装置において、電子装置の筐体に設けられたディスク装置収納部の下底面及び内側面とディスク装置１との間に振動及び／又は衝撃吸収材３，４，５を設けると共に、下底面とディスク装置１との間に設ける振動及び／又は衝撃吸収材３，５と内側面とディスク装置１との間に設ける振動及び／又は衝撃吸収材４を、互いに異なった振動及び／又は衝撃吸収特性の振動及び／又は衝撃吸収材で構成することを特徴とする。
【００３１】
このように、振動及び／又は衝撃吸収特性の異なる振動及び／又は衝撃吸収材を設けることにより、弱い衝撃から強い衝撃までの幅広い衝撃に対して効果的に対応することができ、耐振動性及び耐衝撃性が向上する。
【００３２】
（７）また、本発明は、上記（５）又は（６）において、前記内側面に設けられる振動及び／又は衝撃吸収材４は、下底面に設けられた振動及び／又は衝撃吸収材３，５より防振性が高いものであることを特徴とする。
【００３３】
これにより、電子装置に求められる耐振動性及び／又は耐衝撃性に対して柔軟に対応することができる。
【００３４】
（８）また、本発明は、上記（５）又は（６）において、前記内側面に設けられる振動及び／又は衝撃吸収材４は、下底面に設けられた振動及び／又は衝撃吸収材３，５より硬質であることを特徴とする。
【００３５】
これにより、電子装置に求められる耐振動性及び／又は耐衝撃性に対して柔軟に対応することができる。
【００３６】
（９）また、本発明は、上記（５）乃至（８）のいずれかにおいて、筐体に設けられたディスク装置収納部の内側面とディスク装置１との間に設ける振動及び／又は衝撃吸収材４を、複数の小片で構成することを特徴とする。
【００３７】
この様な筐体に設けられたディスク装置収納部の内側面とディスク装置１との間に設ける振動及び／又は衝撃吸収材４も、全面に１個の大きな振動及び／又は衝撃吸収材を設けて良いものであるが、振動及び／又は衝撃吸収材４を複数の小片で構成することによって、耐振動性を高めることができる。
【００３８】
（１０）また、本発明は、ディスク装置１を搭載した電子装置において、電子装置の筐体に設けられたディスク装置収納部とディスク装置の対向する面の少なくとも一面に対し、厚み異なる複数の振動及び／又は衝撃吸収材３，４，５を設けたことを特徴とする。
【００３９】
この様に、振動及び／又は衝撃吸収材３，４，５を、ディスク装置１の少なくとも一面、特に、蓋部材２側に対し、厚み異なる複数の振動及び／又は衝撃吸収材で構成することによって、例えば、薄い部材と厚い部材で構成することによって弱い衝撃から強い衝撃までの幅広い衝撃に対して優れた耐衝撃性を持たせることができる。
【００４０】
（１１）また、本発明は、上記（１０）において、前記複数の振動及び／又は衝撃吸収材３，４，５は材質が同じであることを特徴とする。
【００４１】
これにより、電子装置に求められる耐振動性及び／又は耐衝撃性に対して柔軟に対応することができる。
【００４２】
（１２）また、本発明は、ディスク装置１を搭載した電子装置において、電子装置の筐体に設けられたディスク装置収納部とディスク装置１の対向する面の少なくとも一面に対し、振動及び／又は衝撃吸収特性が異なる複数の振動及び／又は衝撃吸収材３，４，５を設けたことを特徴とする。
【００４３】
この様に、振動及び／又は衝撃吸収材３，４，５を、ディスク装置１の少なくとも一面、特に、蓋部材２側に対し、振動及び／又は衝撃吸収特性が異なる複数の振動及び／又は衝撃吸収材で構成することによって、弱い衝撃から強い衝撃までの幅広い衝撃に対して優れた耐衝撃性を持たせることができる。
【００４４】
（１３）また、本発明は、上記（１０）又は（１２）において、異なる硬度の振動及び／又は衝撃吸収材を設けたことを特徴とする。
【００４５】
これにより、電子装置に求められる耐振動性及び／又は耐衝撃性に対して柔軟に対応することができる。
【００４６】
（１４）また、本発明は、上記（１）乃至（１３）のいずれかにおいて、振動及び／又は衝撃吸収材５を筐体に設けられたディスク装置収納部の上底面とディスク装置１との間にも設けることを特徴とする。
【００４７】
この様に、振動及び／又は衝撃吸収材５を筐体に設けられたディスク装置収納部の上底面とディスク装置１との間にも設けることによって、耐振動性及び耐衝撃性、特に、耐衝撃性をより高めることができる。
【００４８】
（１５）また、本発明は、上記（１）乃至（１４）のいずれかにおいて、振動及び／又は衝撃吸収材３，４，５をディスク装置１と対向する部材側に貼り付けたことを特徴とする。
【００４９】
この様に、結露の問題や、組立工程の容易性の観点からは、振動及び／又は衝撃吸収材３，４，５をディスク装置１と対向する部材側、即ち、蓋部材２側、上底面側或いは筐体の内側面側に貼り付けることが望ましい。
【００５０】
（１６）また、本発明は、上記（１）乃至（１５）のいずれかにおいて、ディスク装置１を搭載した電子装置が、携帯型電子装置であることを特徴とする。
【００５１】
（１７）また、本発明は、上記（１）乃至（１６）のいずれかにおいて、ディスク装置１はハードディスク装置であることを特徴とする。
【００５２】
（１８）また、本発明は、ディスク装置１を搭載可能な搭載機構において、ディスク装置収納部と、前記収納部を覆う蓋部材２と、蓋部材２と搭載されるディスク装置１との間に配置される、振動及び／又は衝撃を吸収する振動及び／又は衝撃吸収材３を有することを特徴とする。
【００５３】
この様に、筐体に設けられたディスク装置収納部を覆う蓋部材２と搭載されるディスク装置１との間に、振動及び／又は衝撃吸収材３を設けることにより、搭載機構の耐衝撃性を高めることができ、それによって搭載機構を落下した際に、或いは、机に置いた際に、衝撃により搭載されるディスク装置１（特にＨＤＤ）にデータ破損が発生することを防止することができる。
【００５４】
（１９）また、本発明は、ディスク装置１を搭載可能な搭載機構において、ディスク装置収納部と、前記収納部を覆う蓋部材２と、蓋部材２と搭載されるディスク装置１との間に配置される、振動及び衝撃を吸収する複数の小片からなる振動及び／又は衝撃吸収材３と、複数の小片からなる振動及び／又は衝撃吸収材と搭載されるディスク装置の間に配置されるシート材６を有することを特徴とする。
【００５５】
上記（３）で述べたように、振動及び／又は衝撃吸収材３をシート材６に取り付けることによって変形をなくすことができるので、搭載機構の耐衝撃性を向上でき、且つ、結露によるプリント基板の電気的短絡を防止できる。
【００５６】
（２０）また、本発明は、ディスク装置１を搭載可能な搭載機構において、ディスク装置収納部と、前記収納部の下底面及び内側面と搭載されるディスク装置１との間に配置される振動及び／又は衝撃吸収材３，４とを設けると共に、下底面と搭載されるディスク装置１との間に配置される振動及び／又は衝撃吸収材３と前記内側面と搭載されるディスク装置１との間に配置される振動及び／又は衝撃吸収材４を、互いに異なった材質で構成することを特徴とする。
【００５７】
この様に、振動及び／又は衝撃吸収材４を筐体に設けられたディスク装置収納部の内側面と搭載されるディスク装置１との間にも設けることによって、搭載されるディスク装置１の防振性を高めることができ、それによって、読み取りエラーの発生を防止することができる。
【００５８】
また、この場合、筐体に設けられたディスク装置収納部の内側面と搭載されるディスク装置１との間に設ける振動及び／又は衝撃吸収材４は、耐振動性の方がより要求され、一方、下底面と搭載されるディスク装置１との間に設ける振動及び／又は衝撃吸収材３は、耐衝撃性がより要求されるので、互いに異なった材質で構成することが望ましい。
【００５９】
（２１）また、本発明は、ディスク装置１を搭載可能な搭載機構において、ディスク装置収納部と、前記収納部の下底面及び内側面と搭載されるディスク装置１との間に配置される振動及び／又は衝撃吸収材３，４，５とを設けると共に、下底面と搭載されるディスク装置１との間に配置される振動及び／又は衝撃吸収材３，５と前記内側面と搭載されるディスク装置１との間に配置される振動及び／又は衝撃吸収材４を、互いに異なった振動及び／又は衝撃吸収特性の振動及び／又は衝撃吸収材で構成することを特徴とする。
【００６０】
このように、振動及び／又は衝撃吸収特性の異なる振動及び／又は衝撃吸収材を設けることにより、弱い衝撃から強い衝撃までの幅広い衝撃に対して効果的に対応することができ、耐振動性及び耐衝撃性が向上する。
【００６１】
（２２）また、本発明は、ディスク装置１を搭載可能な搭載機構において、ディスク装置収納部と、前記収納部と搭載されるディスク装置１の対向する面の少なくとも一面に対し、厚みが異なる複数の振動及び／又は衝撃吸収材３，４，５を設けたことを特徴とする。
【００６２】
この様に、振動及び／又は衝撃吸収材３，４，５を、構成されるディスク装置１の少なくとも一面、特に、蓋部材２側に対し、厚み異なる複数の振動及び／又は衝撃吸収材で構成することによって、例えば、薄い部材と厚い部材で構成することによって弱い衝撃から強い衝撃までの幅広い衝撃に対して優れた耐衝撃性を持たせることができる。
【００６３】
（２３）また、本発明は、ディスク装置１を搭載可能な搭載機構において、ディスク装置収納部と、前記収納部と搭載されるディスク装置１の対向する面の少なくとも一面に対し、振動及び／又は衝撃吸収特性が異なる複数の振動及び／又は衝撃吸収材３，４，５を設けたことを特徴とする。
【００６４】
この様に、振動及び／又は衝撃吸収材３，４，５を、搭載されるディスク装置１の少なくとも一面、特に、蓋部材２側に対し、振動及び／又は衝撃吸収特性が異なる複数の振動及び／又は衝撃吸収材で構成することによって、弱い衝撃から強い衝撃までの幅広い衝撃に対して優れた耐衝撃性を持たせることができる。
【００６５】
この様に、本発明の構成を携帯型電子装置に適用することによって、携帯時に発生する衝撃に対する信頼性を向上することができる。
【発明の効果】
【００６６】
本発明によれば、ディスクドライブ装置を保護する振動及び／又は衝撃吸収材を小片に分割した部材で構成しているので、耐振動性及び／又は耐衝撃性を向上することができ、それによって、衝撃によるディスクドライブ装置のデータ破損の発生及び振動による読出エラーの発生を防止することができ、各種電子装置やノートブック型パーソナルコンピュータ等の携帯型情報処理装置の信頼性向上に寄与するところが大きい。
【発明を実施するための最良の形態】
【００６７】
以下に、本発明の各実施例を図１乃至図９と共に説明する。
【実施例】
【００６８】
ここで、本発明の第１の実施の形態を図２乃至図５を参照して説明する。
【００６９】
なお、説明を簡単にするために、本発明と直接の関連のない微小部品の取付け構造については、図示及び説明を省略する。
【００７０】
図２（ａ）参照
図２（ａ）は、ノートブック型パーソナルコンピュータの表示パネル部１０の斜視図であり、下部の両側に設けた取付け金具１１１，１１２を図４に示すプラスチック製の筐体基部３０の対応する凹部に位置決めし、ネジ３１，３２によって固定される。
【００７１】
図２（ｂ）参照
図２（ｂ）は、プラスチック製の筐体上カバー２０の斜視図であり、図４に示す筐体基部３０と位置合わせしたのち、ネジ２１及びネジ３２，３３によって固定される。
【００７２】
なお、ネジ３２は取付け金具１１１，１１２を介して筐体上カバー２０を固定することになる。
【００７３】
図３参照
図３は、図２（ｂ）に示した筐体上カバー２０の裏側の状態を示す底面図であり、ＨＤＤと接触する部分、即ち、ＨＤＤ収納部の上底面２２には３つの小片に分割された振動及び／又は衝撃吸収材２３１，２３２，２３３が貼り付けられている。
【００７４】
この振動及び／又は衝撃吸収材２３１，２３２，２３３は、例えば、厚さ２ｍｍの柔らかいエーテル系ポリウレタン〔ソルボセイン（Ｓｏｒｂｏｔｈａｎｅ：商標名）〕で構成する。
【００７５】
図４参照
図４は、ＨＤＤ３４の取付け構造を示す筐体基部３０の分解斜視図であり、ＨＤＤ３４をＨＤＤ収納部３５に収納したのち、２つの長辺に沿って夫々３つの小片に分割された振動及び／又は衝撃吸収材４２１，４２２，４２３，４３１，４３２，４３３を貼り付けたポリエステルフィルムからなるシート材４１を設けたプラスチック製の蓋部材４０をスライドさせてＨＤＤ収納部３５の開口部に装着したのち、ネジ４４で筐体基部３０に固定する。
【００７６】
なお、図においてＨＤＤ３４の左側に破線で示す部材は、ＦＰＣケーブル３６に対するコネクタである。
【００７７】
なお、この振動及び／又は衝撃吸収材４２１，４２２，４２３，４３１，４３２，４３３は、振動及び／又は衝撃吸収材２３１，２３２，２３３と同様に、例えば、厚さ２ｍｍの柔らかいエーテル系ポリウレタン〔ソルボセイン（Ｓｏｒｂｏｔｈａｎｅ：商標名）〕で構成する。
【００７８】
この様なエーテル系ポリウレタンからなる６個の振動及び／又は衝撃吸収材４２１，４２２，４２３，４３１，４３２，４３３を設けた場合に、耐衝撃性についての実験の結果、従来のネジ止め固定の場合に最大加速度が１８５．２６Ｇとなる衝撃に対して、最大加速度が１１７．００Ｇとなり、ネジ止め固定に比較して耐衝撃性が大幅に改善される。
【００７９】
この場合、ＨＤＤ収納部３５の上底面側に設けられた振動及び／又は衝撃吸収材２３１，２３２，２３３は、ＦＰＣケーブル３６と投影的に重ならないように配置されているので、ＨＤＤ３４は、振動及び／又は衝撃吸収材２３１，２３２，２３３と直接接触することになり、上下の振動及び／又は衝撃吸収材２３１，２３２，２３３，４２１，４２２，４２３，４３１，４３２，４３３によって、振動及び／又は衝撃から保護されることになる。
【００８０】
また、シート材４１は、蓋部材４０をスライドさせてＨＤＤ収納部３５の開口部に装着する際に、ＨＤＤ３４と摩擦係数の大きな振動及び／又は衝撃吸収材４２１，４２２，４２３，４３１，４３２，４３３とが直接接触しないようにするために設けるものであり、このシート材４１を用いることによってスライド時に振動及び／又は衝撃吸収材４２１，４２２，４２３，４３１，４３２，４３３が摩擦により横方向に変形することがなく、したがって、設計通りの耐振動・耐衝撃効果を発揮することができる。
【００８１】
図５参照
図５は、ＨＤＤ収納部３５の側面に設けた振動及び／又は衝撃吸収材３７１〜３７８の配置状態を示す筐体基部３０の斜視図であり、図４において図示している一部の微小部品の取付け状態は省略している。
【００８２】
図に示すように、ＨＤＤ収納部３５の４つの内側面の夫々に、２つの小片に分割した振動及び／又は衝撃吸収材３７１〜３７８が貼り付けられている。
【００８３】
この場合の振動及び／又は衝撃吸収材３７１〜３７８は、防振性がより要求されるので、振動及び／又は衝撃吸収材２３１等より硬質の材質である必要があり、例えば、厚さ３ｍｍで、密度が０．４８ｇ／ｃｍ３、引張強度１８．０ｋｇ／ｃｍ２、伸びが１４０％、引裂強度が６．３ｋｇ／ｃｍ、２５％圧縮強度が２．５ｋｇ／ｃｍ２、圧縮残留歪が３．９％の高密度ウレタンフォームを用いる。
【００８４】
この様に、ＨＤＤ収納部３５の内側面に振動及び／又は衝撃吸収材３７１〜３７８を設けているので、ＨＤＤ３４の耐振動性が向上し、ＨＤＤ３４の探査動作（Ｓｅｅｋ）の際に、ディスク状記憶メディアの回転に伴う残留振動に起因する読取エラーの発生を防止することができる。
【００８５】
以上、説明したように、本発明の第１の実施の形態においては、ＨＤＤ３４と接触するＨＤＤ収納部３５の上下底面、及び、４つの側面の外周６面に小片に分割した振動及び／又は衝撃吸収材２３１〜２３３，４２１〜４３３，３７１〜３７８を設けているので、ノートブック型パーソナルコンピュータを落下した場合や、ノートブック型パーソナルコンピュータを机等の置く際の衝撃からＨＤＤ３４を効果的に保護することができ、ディスク状記憶メディアにキズが着かず、したがって、データ破損障害を防止することができるので信頼性が向上する。
【００８６】
なお、各振動及び／又は衝撃吸収材を小片に分割して用いる理由は、各種の実験の結果、一個の大きな振動及び／又は衝撃吸収材を用いるより小片に分割して用いた方が耐振動性及び／又は耐衝撃性が向上すると認識するに至ったためである。
【００８７】
また、上記の第１の実施の形態においては、シート材４１を用いているので、結露が生じても、ＨＤＤ３４のプリント基板側に対向する振動及び／又は衝撃吸収材４２１〜４３３に起因した短絡が発生することがないので信頼性が向上する。
【００８８】
なお、上記の第１の実施の形態においては、シート材４１として、ポリエステル製のシート材を用いているが、ポリエステル製に限られるものではなく、摩擦係数の小さな絶縁性部材であれば何でも良く、例えば、テフロン（登録商標）樹脂製のシート材を用いても良い。
【００８９】
図６参照
次に、本発明の第２の実施の形態を図６と共に説明するが、この第２の実施の形態は、蓋部材側に設ける振動及び／又は衝撃吸収材の構成が異なるだけで他の構成は上記の第１の実施の形態と同様である。図６中、（ａ）は第２の実施の形態の要部を示す斜視図、（ｂ）は同図（ａ）中Ａから見た矢視図、（ｃ）は同図（ａ）中Ｂから見た矢視図である。
【００９０】
この第２の実施の形態は、ポリエステルフィルムからなるシート材４１の蓋部材４０との対向面側に、第１の実施の形態と同様に、２つの長辺に沿って夫々３つの小片に分割された厚さ２ｍｍの柔らかいエーテル系ポリウレタンからなる振動及び／又は衝撃吸収材４１１を貼り付けると共に、この個々の振動及び／又は衝撃吸収材４１１の間に、新たに、厚さ１．５ｍｍで、振動及び／又は衝撃吸収材４１１より硬質のエーテル系ポリウレタン〔ソルボセイン（Ｓｏｒｂｏｔｈａｎｅ：商標名）〕からなる振動及び／又は衝撃吸収材４１２を設けたものである。
【００９１】
この場合の新たに付加した振動及び／又は衝撃吸収材４１２の厚さは、振動及び／又は衝撃吸収材４１１の圧縮による緩衝効果が失われる厚さにほぼ等しく設定することが望ましく、弱い衝撃の場合には、柔らかい振動及び／又は衝撃吸収材４１１のみによって柔らかく衝撃を吸収し、強い衝撃の場合には、柔らかい振動及び／又は衝撃吸収材４１１で吸収しきれない衝撃を新たに付加した硬い振動及び／又は衝撃吸収材４１２で吸収する２段階構造になっているので、上記の第１の実施の形態に比べて弱い衝撃から強い衝撃までの幅広い衝撃に対して効果的に対応することができる。
【００９２】
図７参照
図７中、（ａ）は第２の実施の形態の変形例の要部を示す斜視図、（ｂ）は同図（ａ）中Ａから見た矢視図、（ｃ）は同図（ａ）中Ｂから見た矢視図である。  なお、この第２の実施の形態においては、蓋部材側を柔らかい振動及び／又は衝撃吸収材と硬い振動及び／又は衝撃吸収材の２段階構造にしているが、図７に示す変形例のように、新たに付加する振動及び／又は衝撃吸収材は相対的に硬質の振動及び／又は衝撃吸収材に限られるものではなく、同じ材質（又は同じ硬さ）の振動及び／又は衝撃吸収材４２１，４２２を用いて図７のように厚さを変えて２段階構造にしも良く、或いは、互いに振動及び／又は衝撃吸収特性の異なる材質のものを用いて２段階構造にしても良いものである。
【００９３】
図８参照
図８は、第２の実施の形態の他の変形例の要部を示す斜視図である。
【００９４】
図８に示す他の変形例では、振動及び／又は衝撃吸収材４３１，４３２の相対的な硬さが異なる。例えば、振動及び／又は衝撃吸収材４３１の方が振動及び／又は衝撃吸収材４３２より相対的に硬いか、その逆である。
【００９５】
また、蓋部材側だけではなく、ＨＤＤ収納部３５の上底面２２側に設ける振動及び／又は衝撃吸収材も２段階構造にしても良いものであり、さらには、ＨＤＤ収納部３５の内側面に設ける振動及び／又は衝撃吸収材も２段階構造にしても良いものであり、部品点数は増えるものの、耐振動性及び／又は耐衝撃性がより向上する。
【００９６】
次に、図９を参照して、本発明の第３の実施の形態を説明する。
【００９７】
なお、この第３の実施の形態も、蓋部材側に設ける振動及び／又は衝撃吸収材の構成が異なるだけで他の構成は上記の第１の実施の形態と同様であるので、蓋部材の構成のみ説明する。
【００９８】
図９参照
この第３の実施の形態においては、プラスチック製の蓋部材４０のＨＤＤ３４と対向する面に、２つの長辺に沿って細長い一対の厚さ２ｍｍの柔らかいエーテル系ポリウレタン〔ソルボセイン（Ｓｏｒｂｏｔｈａｎｅ：商標名）〕からなる振動及び／又は衝撃吸収材４５１，４５２を直接貼り付けたものである。
【００９９】
この場合の耐衝撃性は、従来のネジ止め固定の場合に最大加速度が１８５．２６Ｇとなる衝撃に対して、最大加速度が１３９．１９Ｇとなり、ネジ止め固定に比較して耐衝撃性が改善される。
【０１００】
但し、上記の第１の実施の形態より耐衝撃性が劣ることになるが、振動及び／又は衝撃吸収材の数が少なくなるので、振動及び／又は衝撃吸収材の貼り付け作業を軽減することができるという利点がある。
【０１０１】
なお、この第３の実施の形態においては、蓋部材４０に直接振動及び／又は衝撃吸収材４５１，４５２を貼り付けているが、上記の第１の実施の形態と同様に、ポリエステル製のシート材に貼り付けても良いものである。
【０１０２】
以上、本発明の各実施の形態を説明した。実施の形態は、ハードディスクドライブを例に説明したが、ハードディスクドライブに限られるものではなく、フロッピー（登録商標）ディスクドライブ、コンパクトディスクドライブ、ＤＶＤドライブ、ＭＤドライブ、ＭＯドライブ等でも本発明が同様に適用できることは当業者には容易に理解できるであろう。
【０１０３】
又、本発明は上記の各実施の形態に示した構成に限られるものではなく、各種の変更が可能であり、例えば、ＨＤＤ収納部の上下に設ける柔らかい振動及び／又は衝撃吸収材は、軟質エーテル系ポリウレタンに限られるものでなく、設計仕様に応じて適宜変更が可能であり、また、振動及び／又は衝撃吸収材の厚さも２ｍｍに限られるものではなく、振動及び／又は衝撃吸収材の特性に応じて任意に変更されるものである。
【０１０４】
但し、あまり柔らかすぎたり、或いは、あまり薄すぎると耐衝撃性が低下するので、設計仕様、例えば、非使用時の耐衝撃性として３００Ｇ保証が可能になるように、ＨＤＤ収納部のスペースをあまり増加させない範囲で材質及び厚さを選択することが必要になる。
【０１０５】
また、ＨＤＤ収納部の内側面に設ける振動及び／又は衝撃吸収材も、上記の実施の形態に示した特性を有する高密度ウレタンフォームに限られるものでなく、また、厚さも３ｍｍに限られるものではなく、設計仕様に応じて適宜変更されるものである。
【０１０６】
また、上記の実施の形態においてはノートブック型パーソナルコンピュータとして説明してきたが、本発明はノートブック型パーソナルコンピュータに限られるものではなく、ノートブック型ワードプロセッサー等、ペン入力型パーソナルコンピュータの他のディスクドライブ装置を搭載した携帯用情報処理装置一般に適用されるものである。
【０１０７】
更に、本発明はディスク装置を搭載する電子装置にも適用可能であり、例えば、携帯型情報処理装置（ノートブックコンピュータ等）に接続して利用されるドッキングステーションや拡張周辺装置内に搭載されるディスクドライブ装置の搭載にも適用できる。
【図面の簡単な説明】
【０１０８】
【図１】本発明の原理的構成の説明図である。
【図２】本発明の第１の実施の形態の表示パネル部と筐体上カバーの斜視図である。
【図３】本発明の第１の実施の形態の筐体上カバーの底面図である。
【図４】本発明の第１の実施の形態の筐体基部の分解斜視図である。
【図５】本発明の第１の実施の形態の筐体基部の振動及び／又は衝撃吸収材の取付け構造を示す斜視図である。
【図６】本発明の第２の実施の形態の要部を説明するする図である。
【図７】本発明の第２の実施の形態の変形例を説明する図である。
【図８】本発明の第２の実施の形態の他の変形例を示す斜視図である。
【図９】本発明の第３の実施の形態の斜視図である。
【図１０】従来のノートブック型パーソナルコンピュータの要部分解斜視図である。
【符号の説明】
【０１０９】
１  ディスク装置
２  蓋部材
３  振動及び／又は衝撃吸収材
４  振動及び／又は衝撃吸収材
５  振動及び／又は衝撃吸収材
６  シート材
１０  表示パネル部
１１１，１１２  取付け金具
２０  筐体上カバー
２１  ネジ
２２  上底面
２３１，２３２，２３３  振動及び／又は衝撃吸収材
３０  筐体基部
３１  ネジ
３２  ネジ
３３  ネジ
３４  ＨＤＤ
３５  ＨＤＤ収納部
３６  ＦＰＣケーブル
３７１〜３７８  振動及び／又は衝撃吸収材
４０  蓋部材
４１  シート材
４２１，４２２，４２３  振動及び／又は衝撃吸収材
４３１，４３２，４３３  振動及び／又は衝撃吸収材
４４  ネジ
４５１，４５２  振動及び／又は衝撃吸収材
５０  ノートブック型パーソナルコンピュータ
５１  筐体
５２  ＨＤＤ
５３  ＨＤＤ取付け金具
５４  ネジ
５５  ネジ
５６  ＦＰＣケーブル
５７  ＨＤＤカバー
５８  ネジ
【図１】
2008171554.tif 000003
【図２】
2008171554.tif 000004
【図３】
2008171554.tif 000005
【図４】
2008171554.tif 000006
【図５】
2008171554.tif 000007
【図６】
2008171554.tif 000008
【図７】
2008171554.tif 000009
【図８】
2008171554.tif 000010
【図９】
2008171554.tif 000011
【図１０】
2008171554.tif 000012
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
ディスク装置を搭載した電子装置において、
前記電子装置の筐体に設けられたディスク装置収納部の下底面及び内側面とディスク装置との間に振動及び／又は衝撃吸収材を設けると共に、
前記下底面とディスク装置との間に設ける振動及び／又は衝撃吸収材と前記内側面とディスク装置との間に設ける振動及び／又は衝撃吸収材を、互いに異なった材質で構成することを特徴とする電子装置。
【請求項２】
ディスク装置を搭載した電子装置において、
前記電子装置の筐体に設けられたディスク装置収納部の下底面及び内側面とディスク装置との間に振動及び／又は衝撃吸収材を設けると共に、
前記下底面とディスク装置との間に設ける振動及び／又は衝撃吸収材と前記内側面とディスク装置との間に設ける振動及び／又は衝撃吸収材を、互いに異なった振動及び／又は衝撃吸収特性の振動及び／又は衝撃吸収材で構成することを特徴とする電子装置。
【請求項３】
前記内側面に設けられる振動及び／又は衝撃吸収材は、下底面に設けられた振動及び／又は衝撃吸収材より防振性が高いものであることを特徴とする請求項１又は２記載の電子装置。
【請求項４】
前記内側面に設けられる振動及び／又は衝撃吸収材は、下底面に設けられた振動及び／又は衝撃吸収材より硬質であることを特徴とする請求項１又は２記載の電子装置。
【請求項５】
上記筐体に設けられたディスク装置収納部の内側面とディスク装置との間に設ける振動及び／又は衝撃吸収材を、複数の小片で構成することを特徴とする請求項１乃至４のいずれか１項に記載の電子装置。
【請求項６】
ディスク装置を搭載可能な搭載機構において、
ディスク装置収納部と、
前記ディスク装置収納部の下底面及び内側面と搭載されるディスク装置との間に配置される振動及び／又は衝撃吸収材とを設けると共に、
前記下底面と搭載されるディスク装置との間に配置される振動及び／又は衝撃吸収材と前記内側面と搭載されるディスク装置との間に配置される振動及び／又は衝撃吸収材を、互いに異なった材質で構成することを特徴とする搭載機構。
【請求項７】
ディスク装置を搭載可能な搭載機構において、
ディスク装置収納部と、
前記ディスク装置収納部の下底面及び内側面と搭載されるディスク装置との間に配置される振動及び／又は衝撃吸収材とを設けると共に、
前記下底面と搭載されるディスク装置との間に配置される振動及び／又は衝撃吸収材と前記内側面と搭載されるディスク装置との間に配置される振動及び／又は衝撃吸収材を、互いに異なった振動及び／又は衝撃吸収特性の振動及び／又は衝撃吸収材で構成することを特徴とする搭載機構。
【請求項８】
前記内側面に設けられる振動及び／又は衝撃吸収材は、下底面に設けられた振動及び／又は衝撃吸収材より防振性が高いものであることを特徴とする請求項６又は７記載の搭載機構。
【請求項９】
前記内側面に設けられる振動及び／又は衝撃吸収材は、下底面に設けられた振動及び／又は衝撃吸収材より硬質であることを特徴とする請求項６又は７記載の搭載機構。
【請求項１０】
前記ディスク装置収納部の内側面と前記ディスク装置との間に設ける振動及び／又は衝撃吸収材を、複数の小片で構成することを特徴とする請求項６乃至９のいずれか１項に記載の搭載機構。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
ディスク装置を搭載した電子装置において、
前記電子装置の筐体に設けられたディスク装置収納部の下底面及び内側面とディスク装置との間に振動及び／又は衝撃吸収材を設けると共に、前記ディスク装置収納部の下底面と前記ディスク装置との間の振動及び／又は衝撃吸収材は単一のシート材に設け、
前記下底面とディスク装置との間に設ける振動及び／又は衝撃吸収材と前記内側面とディスク装置との間に設ける振動及び／又は衝撃吸収材を、互いに異なった材質で構成することを特徴とする電子装置。
【請求項２】
ディスク装置を搭載した電子装置において、
前記電子装置の筐体に設けられたディスク装置収納部の下底面及び内側面とディスク装置との間に振動及び／又は衝撃吸収材を設けると共に、前記ディスク装置収納部の下底面と前記ディスク装置との間の振動及び／又は衝撃吸収材は単一のシート材に設け、
前記下底面とディスク装置との間に設ける振動及び／又は衝撃吸収材と前記内側面とディスク装置との間に設ける振動及び／又は衝撃吸収材を、互いに異なった振動及び／又は衝撃吸収特性の振動及び／又は衝撃吸収材で構成することを特徴とする電子装置。
【請求項３】
前記内側面に設けられる振動及び／又は衝撃吸収材は、下底面に設けられた振動及び／又は衝撃吸収材より防振性が高いものであることを特徴とする請求項１又は２記載の電子装置。
【請求項４】
前記内側面に設けられる振動及び／又は衝撃吸収材は、下底面に設けられた振動及び／又は衝撃吸収材より硬質であることを特徴とする請求項１又は２記載の電子装置。
【請求項５】
上記筐体に設けられたディスク装置収納部の内側面とディスク装置との間に設ける振動及び／又は衝撃吸収材を、複数の小片で構成することを特徴とする請求項１乃至４のいずれか１項に記載の電子装置。
【請求項６】
ディスク装置を搭載可能な搭載機構において、
ディスク装置収納部と、
前記ディスク装置収納部の下底面及び内側面と搭載されるディスク装置との間に配置される振動及び／又は衝撃吸収材とを設けると共に、前記ディスク装置収納部の下底面と前記ディスク装置との間の振動及び／又は衝撃吸収材は単一のシート材に設け、
前記下底面と搭載されるディスク装置との間に配置される振動及び／又は衝撃吸収材と前記内側面と搭載されるディスク装置との間に配置される振動及び／又は衝撃吸収材を、互いに異なった材質で構成することを特徴とする搭載機構。
【請求項７】
ディスク装置を搭載可能な搭載機構において、
ディスク装置収納部と、
前記ディスク装置収納部の下底面及び内側面と搭載されるディスク装置との間に配置される振動及び／又は衝撃吸収材とを設けると共に、前記ディスク装置収納部の下底面と前記ディスク装置との間の振動及び／又は衝撃吸収材は単一のシート材に設け、
前記下底面と搭載されるディスク装置との間に配置される振動及び／又は衝撃吸収材と前記内側面と搭載されるディスク装置との間に配置される振動及び／又は衝撃吸収材を、互いに異なった振動及び／又は衝撃吸収特性の振動及び／又は衝撃吸収材で構成することを特徴とする搭載機構。
【請求項８】
前記内側面に設けられる振動及び／又は衝撃吸収材は、下底面に設けられた振動及び／又は衝撃吸収材より防振性が高いものであることを特徴とする請求項６又は７記載の搭載機構。
【請求項９】
前記内側面に設けられる振動及び／又は衝撃吸収材は、下底面に設けられた振動及び／又は衝撃吸収材より硬質であることを特徴とする請求項６又は７記載の搭載機構。
【請求項１０】
前記ディスク装置収納部の内側面と前記ディスク装置との間に設ける振動及び／又は衝撃吸収材を、複数の小片で構成することを特徴とする請求項６乃至９のいずれか１項に記載の搭載機構。